(57)【要約】【課題】介助者が便器外郭体の側方から可搬便器に近づいた時に、足が接地板に接触することを防止でき、しかも介助者が被介助者を安定して支持できる可搬便器を提供する。【解決手段】汚物受け３を収納する便器外郭体５を備える。便器外郭体５の両側に設けた脚体１１を備える。各脚体１１の下端部に設けた接地板１９に外側方に向けて開口する足入用凹所５５を形成する。足入用凹所５５を便器外郭体５の外側面よりも内側に形成する。【選択図】図１
2008206694.tif 000002
【特許請求の範囲】
【請求項１】
汚物受けを収納する便器外郭体と、便器外郭体の両側に設けた脚体を備え、各脚体の下端部に設けた接地板に外側方に向けて開口する足入用凹所を形成し、該足入用凹所を便器外郭体の外側面よりも内側に形成して成ることを特徴とする可搬便器。
【請求項２】
便器外郭体の両側に肘掛け体を設け、各肘掛け体の外側端を便器外郭体の外側面と面一又は便器外郭体の外側面よりも外側方に配置し、前記接地板の外側端部を肘掛け体よりも外側方に突出して成ることを特徴とする請求項１に記載の可搬便器。
【請求項３】
各脚体を、便器外郭体に垂設した脚と、脚の下端部に設けた接地板とで構成し、各脚体の脚にねじ孔を上下方向に複数並設すると共に、便器外郭体の外側面を構成する両側の側板にボルト挿通孔を穿設し、ボルト挿通孔に挿通したボルトを前記上下複数のねじ孔のうち任意のねじ孔に螺合することで、脚体を便器外郭体に対して高さ調節自在に取り付けて成ることを特徴とする請求項１又は請求項２に記載の可搬便器。
【請求項４】
前記各脚体は、接地板の前部及び後部に立設した脚を備えると共に各脚にねじ孔を上下方向に複数並設したものであり、便器外郭体は、外側面を構成する両側の側板の前部及び後部に穿設したボルト挿通孔と、両側の側板の内面において平面視で前記前側のボルト挿通孔に対応する箇所から突出した水平断面Ｌ字状のガイド片と、各ガイド片と便器外郭体の側板との間に形成した前方に開口するガイド溝と、便器外郭体の両側の側板の後部間に架設した桟と、該桟の平面視で前記後側のボルト挿通孔に対応する箇所に穿設したガイド孔を備え、前記各脚体の前側の脚をガイド溝に上下方向に移動自在に挿通すると共に、後側の脚をガイド孔に上下方向に移動自在に挿通し、便器外郭体の両側の側板の前後のボルト挿通孔に挿通した各ボルトを対応する脚のねじ孔のうち任意のねじ孔に螺合することで、各脚体を便器外郭体に対して高さ調節自在に取り付けて成ることを特徴とする請求項３に記載の可搬便器。
【請求項５】
上記請求項１乃至４のいずれか１項に記載の可搬便器が有する脚体。
【発明の詳細な説明】
【技術分野】
【０００１】
本発明は主に介護用に用いられる可搬便器及びこれに用いられる脚体に関する。
【背景技術】
【０００２】
従来、例えば特許文献１に示すような椅子型の可搬便器が利用されている。この可搬便器には汚物受けを収納する便器外郭体の両側に脚体を設けている。各脚体の下端部には床面に接地される接地板を設けてあり、接地板は便器外郭体を安定して支持するために、左右方向の外側端部を便器外郭体の外側面よりも外側方に突出している。
【０００３】
ところで老人や身体障害者等が便座に着座・離座する際には介助が必要となり、この場合、介助者は被介助者を安定して支持するために被介助者が着座する可搬便器の側方の可搬便器にできるだけ近い位置に立つ必要がある。
【０００４】
しかし上記特許文献１に示す可搬便器にあっては、脚体の接地板を便器外郭体よりも外側に突出しているので、介助者が可搬便器の側方から近づいた時に足が接地板に当たる恐れがある。また介助者が可搬便器にできるだけ近づくには接地板上に足を載せる必要があり、この場合は安定した介助姿勢を維持することが困難となる。
【特許文献１】特開２００６−８７７２５号公報
【発明の開示】
【発明が解決しようとする課題】
【０００５】
本発明は上記従来の問題点に鑑みて発明したものであって、介助者が便器外郭体の側方から可搬便器に近づいた時に、足が接地板に接触することを防止でき、しかも介助者が被介助者を安定して支持できる可搬便器を提供することを課題とするものである。
【課題を解決するための手段】
【０００６】
上記課題を解決するために本発明の可搬便器は、汚物受け３を収納する便器外郭体５と、便器外郭体５の両側に設けた脚体１１を備え、各脚体１１の下端部に設けた接地板１９に外側方に向けて開口する足入用凹所５５を形成し、該足入用凹所５５を便器外郭体５の外側面よりも内側に形成して成ることを特徴とする。このように各脚体１１の接地板１９に形成した足入用凹所５５を便器外郭体５の外側面よりも内側に形成することで、介助者が便器外郭体５の側方から可搬便器１に近づいた時には、便器外郭体５の内側に位置する足入用凹所５５内に足を入れて足が接地板１９に接触することを防止できる。また介助者は足入用凹所５５の内側に露出した床面上に足を置いて可搬便器１に近い位置に立つことができる。
【０００７】
また便器外郭体５の両側に肘掛け体１２を設け、各肘掛け体１２の外側端を便器外郭体５の外側面と面一又は便器外郭体５の外側面よりも外側方に配置し、前記接地板１９の外側端部を肘掛け体１２よりも外側方に突出することも好ましい。この場合、接地板１９の床面との接触面積を充分に確保できる。
【０００８】
また各脚体１１を、便器外郭体５に垂設した脚１８と、脚１８の下端部に設けた接地板１９とで構成し、各脚体１１の脚１８にねじ孔５６を上下方向に複数並設すると共に、便器外郭体５の外側面を構成する両側の側板１３、１３にボルト挿通孔５８ａ、５８ｂを穿設し、ボルト挿通孔５８ａ、５８ｂに挿通したボルト６１を前記上下複数のねじ孔５６のうち任意のねじ孔５６に螺合することで、脚体１１を便器外郭体５に対して高さ調節自在に取り付けることも好ましい。簡単な構成により脚体１１を便器外郭体５に対して高さ調節自在に取り付けることができる。
【０００９】
また前記各脚体１１は、接地板１９の前部及び後部に立設した脚１８を備えると共に各脚１８にねじ孔５６を上下方向に複数並設したものであり、便器外郭体５は、外側面を構成する両側の側板１３の前部及び後部に穿設したボルト挿通孔５８ａ、５８ｂと、両側の側板１３の内面において平面視で前記前側のボルト挿通孔５８ａに対応する箇所から突出した水平断面Ｌ字状のガイド片６２と、各ガイド片６２と便器外郭体５の側板１３との間に形成した前方に開口するガイド溝６３と、便器外郭体５の両側の側板１３の後部間に架設した桟１７と、該桟１７の平面視で前記後側のボルト挿通孔５８ｂに対応する箇所に穿設したガイド孔６４を備え、前記各脚体１１の前側の脚１８をガイド溝６３に上下方向に移動自在に挿通すると共に、後側の脚１８をガイド孔６４に上下方向に移動自在に挿通し、便器外郭体５の両側の側板１３の前後のボルト挿通孔５８ａ、５８ｂに挿通した各ボルト６１を対応する脚１８のねじ孔５６のうち任意のねじ孔５６に螺合することで、各脚体１１を便器外郭体５に対して高さ調節自在に取り付けることも好ましい。このように各脚体１１の前側及び後側の脚１８を便器外郭体５に設けたガイド溝６３及びガイド孔６４の夫々に上下方向に移動自在に挿通することで、各脚体１１で前後方向及び左右方向にがたつきなく便器外郭体５を安定して支持でき、またガイド溝６３及びガイド孔６４を各脚体１１の高さ調節をする際のガイドとして利用できる。
【００１０】
また本発明の脚体は、上記請求項１乃至４のいずれか１項に記載の可搬便器１が有する脚体１１である。
【発明の効果】
【００１１】
請求項１に係る発明では、介助者が便器外郭体の側方から可搬便器に近づいた時には、足入用凹所内に足を入れて足が接地板に接触することを防止でき、また介助者は足入用凹所の内側に足を置いて可搬便器に近い位置に立つことができ、これにより安定した介助姿勢を維持できて被介助者を安定して支持できる。
【００１２】
また請求項２に係る発明では、請求項１に係る発明の効果に加えて、接地板の床面との接触面積を充分に確保でき、脚体で便器外郭体を安定して支持できる。
【００１３】
また請求項３に係る発明では、請求項１又は請求項２に係る発明の効果に加えて、簡単な構成により便器外郭体の高さを使用者の体格に合わせて変更可能となる。
【００１４】
また請求項４に係る発明では、請求項３に係る発明の効果に加えて、各脚体の前側及び後側の脚を便器外郭体に設けたガイド溝及びガイド孔の夫々に上下方向に移動自在に挿通することで、各脚体で前後方向及び左右方向にがたつくことなく便器外郭体を安定して支持でき、またガイド溝及びガイド孔を各脚体の高さ調節をする際のガイドとして利用でき、便器外郭体の高さ調節を容易に行える。
【００１５】
また請求項５に係る発明では、上記請求項１乃至４のいずれか１項に記載の可搬便器が有する脚体を提供できる。
【発明を実施するための最良の形態】
【００１６】
以下、本発明の可搬便器を添付図面に示す実施形態に基づいて説明する。なお以下では、用を足す時に可搬便器１の便座２に着座した被介助者となる人を基準として、該被介助者から見て前側を前方、後側を後方として説明する。
【００１７】
本実施形態の一例の可搬便器１は椅子型で、図１乃至４に示すように便器外郭体５、脚体１１、肘掛け体１２を有する椅子構造体４と、便器外郭体５内に形成した上方に開口する収納部６に収納される汚水受け７と、汚水受け７に収納される排泄物容器８と、局部洗浄装置９と、便座２と、タンク受け１０を備えており、汚水受け７と排泄物容器８とで汚物受け３を構成している。
【００１８】
椅子構造体４は木製であり、汚水受け７、排泄物容器８、タンク受け１０はポリプロピレン樹脂よりなる。なお汚水受け７、排泄物容器８、タンク受け１０は、ＡＢＳ樹脂、ＡＳ樹脂、ポリカーボネート、ポリエチレン等の熱可塑性の合成樹脂で成形しても良い。
【００１９】
便器の外郭を構成する便器外郭体５は、左右両側の側板１３、１３と、両側板１３、１３の前端間に架設した前板１４と、両側板１３、１３と前板１４とで囲まれた空間の上方を覆う天板１５を備えている。両側板１３、１３の後部の下部には後板１６を架設してあり、後板１６よりも後方に位置する両側板１３、１３の後端部の下端部間には平板状の桟１７を架設してあり、便器外郭体５は略箱状に形成されている。
【００２０】
便器外郭体５の内側には両側板１３、１３、前板１４、後板１６、天板１５で囲まれた空間からなる収納部６を形成してあり、天板１５には収納部６の上端開口として開口部１５ａ（図８参照）を形成している。便器外郭体５の両側板１３、１３の夫々の内面には脚体１１を取り付けている。各脚体１１は便器外郭体５の前後から垂設した脚１８、１８と、脚１８、１８の下端部に設けた接地板１９とで構成してあり、各脚体１１の接地板１９を床面に接地することで便器外郭体５は脚体１１を介して床上に配置される。なお脚体１１の詳細については後述する。
【００２１】
便器外郭体５の後端部には背枠２１を立設してあり、背枠２１の上部前側には背当て２２を取り付けている。また便器外郭体５の両側には便座３に着座した人の肘を掛けるための肘掛け体１２を配設してあり、各肘掛け体１２の後端部は背枠２１に連結し、また各肘掛け体１２の前部には支柱２５の上端を連結してあり、各支柱２５の下部は便器外郭体５の側板１３の外面に連結している。各肘掛け体１２の外側端部は支柱２５よりも左右方向の外側に突出し、つまり各肘掛け体１２の外側面は椅子構造体４において後述の脚体１１の接地板１９を除いて左右方向の最も外側に位置する。
【００２２】
便器外郭体５の後方部にはタンク受け１０を設けている。タンク受け１０は、受け部２６と、前側上端部に設けた引掛け部２７を備え、受け部２６には局部洗浄装置９に供給される水を貯めるタンク２８が収納され、引掛け部２７を天板１５の開口部１５ａの後方部に引っ掛けることで便器外郭体５に支持してある。
【００２３】
便器外郭体５の上面を構成する天板１５の開口部１５ａの後方部上には引掛け部２７を介して局部洗浄装置９を載置固定してあり、局部洗浄装置９と便器外郭体５の天板１５とで引掛け部２７を挟持している。局部洗浄装置９の前部は天板１５の開口部１５ａの後縁よりも前方に突出した前方突出部９ａとなっている。前方突出部９ａの下部は収納部６内に位置し、同部には便座２に着座した人の局部を洗浄するための局部洗浄ノズル３０を内装している。図１中２９は局部洗浄装置９の操作器である。なお図２及び図９では図面の簡素化のため操作器２９の図示を省略している。
【００２４】
局部洗浄装置９には便座２の後端部を回動自在に取り付けている。便座２上には図９に示すように必要に応じて座体２４が便座２の開口を閉塞するよう載置され、この座体２４は使用者が着座するための座部として利用される。
【００２５】
図６に示す汚水受け７は便器外郭体５の収納部６に開口部１５ａを介して出入自在に収納される。汚水受け７は、上方に開口する容器状の汚水受け本体３１と、汚水受け本体３１の上端開口の周縁部から外方に向けて一体に突出するフランジ部３２とで構成される。汚水受け７はフランジ部３２が便器外郭体５の収納部６の上端開口（天板１５の開口部１５ａ）の両側の縁部上に前後方向にスライド自在に載置して支持され、汚水受け７を便器外郭体５に対して前後方向に移動することで、図４に示す収納位置と図５に示す引出位置に配置できるようになっている。
【００２６】
フランジ部３２は汚水受け本体３１の上端開口の周縁部の全周に亘って設けてあり、内周縁部（即ち汚水受け本体３１の上端開口の周縁部を構成する部分）を構成する平面視環状の容器載置部３３と、容器載置部３３の後端部を除く外周縁から外方に突出した平面視略Ｕ字状の便座載置部３４と、便座載置部３４の前縁に設けた上方突出部４０を備えている。
【００２７】
上方突出部４０は便座載置部３４よりも上方に突出し、左右方向の両側部分は中央部よりも一段高くなった太股支持部４２を構成している。各太股支持部４２の上面は便座載置部３４に載置した便座２の前部の上面と同レベルに位置し、便座載置部３４に便座２を載置した場合、便座２の上面と各太股支持部４２の上面が略面一となる。これにより便座２に着座した人の太股は便座２の上面で支持されると共に該便座２の上面と面一となった汚水受け７の太股支持部４２の上面でも支持されることとなり、太股の支持面積が増大する。また各太股支持部４２には上方に開口する嵌込凹所４３を形成してあり、前述の座体２４から下方に突設した嵌込部（図示せず）を嵌込凹所４３に嵌め込んで座体２４を位置決めできるようになっている。
【００２８】
図７に示す排泄物容器８はその上端周縁部に外方に向けて突出する鍔部４６を設けている。図４に示すように排泄物容器８は汚水受け７の容器載置部３３に鍔部４６を載置することで汚水受け７上に支持され、汚水受け本体３１に収納される。なお排泄物容器８の上端部には必要に応じて排泄物容器８の上端開口を閉塞する蓋体５３が着脱自在に嵌め込まれる。
【００２９】
ここで図４に示すように汚水受け７を後方に移動して汚水受け本体３１が収納部６において最も後側に配置される収納位置に配置した場合には、排泄物容器８の上端後縁部が局部洗浄装置９の前方突出部９ａの前縁よりも後方に位置し、局部洗浄装置９の前方突出部９ａの下方に汚水受け本体３１の後端部が位置する。またこの時、局部洗浄装置９の前方突出部９ａの下部が排泄物容器８内に臨む。これにより排泄物容器８は排泄物や局部洗浄ノズル３０から噴射した水を確実に受ける便座２の開口の下方の位置に配置される。
【００３０】
また図５に示すように収納位置から汚水受け７を前方に移動して汚水受け本体３１が収納部６の最も前側に配置される引出位置に配置した場合には、排泄物容器８が局部洗浄装置９の前縁よりも前方に位置する。従って便座２を起立させて汚水受け７を引出位置に配置することで、排泄物容器８の上端後縁部が局部洗浄装置９の前方突出部９ａに引っ掛かることなく排泄物容器８を汚水受け７から容易に取り出すことが可能となる。
【００３１】
上記可搬便器１を利用するには、便座２上の座体２を取り外し、汚水受け７を図４に示す収納位置に配置し、汚水受け７上に載置した便座２に着座して排泄物容器８内に用を足す。また排泄物容器８内の排泄物を捨てるには、前述のように汚水受け７を引出位置に配置して排泄物容器８を汚水受け７から取り出す。
【００３２】
以下、椅子構造体４の両側に設けた各脚体１１について詳述する。
【００３３】
図１０に示すように各脚体１１は左右対称に形成され、接地板１９と、接地板１９の前部及び後部の夫々に垂直に立設した脚１８とで構成してある。接地板１９は平面視で便器外郭体５の外側方に向かって開口した略Ｃ字状に形成してあり、前後方向の中間部に外側方に開口する足入用凹所５５を形成している。接地板１９の前部及び後部は斜め外側前方又は斜め外側後方に向かって突出し、足入用凹所５５の前後幅寸法は便器外郭体５の内側方に行く程狭くなっている。足入用凹所５５の前後幅寸法は最も狭くなった奥部も含めて介助者の足を入れることが可能な寸法となっている。また図４等に示すように各接地板１９の後端にはキャスター２０を設けてあり、各キャスター２０のローラー２０ａを床面上で転動させることで、可搬便器１を簡単に移動できる。
【００３４】
脚１８は縦長板状に形成され、接地板１９の足入用凹所５５を挟んだ前部及び後部の夫々に立設してある。各脚１８の外側面（即ち便器外郭体５の側板１３の内面と対向する面）にはボルト６１が螺合可能なねじ孔５６を上下方向に複数並設してあり、各ねじ孔５６は脚１８に埋設した鬼目ナット５７のねじ孔で構成されている。
【００３５】
各脚体１１は便器外郭体５に対して高さ調節自在に取り付けられ、便器外郭体５の外側面を構成する両側板１３、１３の前部及び後部の夫々の下部にはボルト６１を挿通可能なボルト挿通孔５８ａ、５８ｂ（図２（ｂ）参照）を穿設している。図１１に示すように便器外郭体５の各側板１３、１３の前部の内面には水平断面Ｌ字状のガイド片６２を突設している。各ガイド片６２は平面視で前側のボルト挿通孔５８ａに対応する箇所に位置し、各ガイド片６２と対向する便器外郭体５の側板１３との間には上下及び前方に開口するガイド溝６３が形成される。また図１２に示すように便器外郭体５の両側板１３、１３の後部間に架設した桟１７の左右両端部には上下に貫通するガイド孔６４を穿設してあり、各ガイド孔６４は平面視で後側のボルト挿通孔５８ｂに対応する箇所に位置する。
【００３６】
上記各脚体１１を便器外郭体５に取り付けるには、脚体１１の前側の脚１８をガイド溝６３に上下方向に移動自在に挿通すると共に、後側の脚１８をガイド孔６４に上下方向に移動自在に挿通し、便器外郭体５の側板１３の前後のボルト挿通孔５８ａ、５８ｂに挿通した各ボルト６１を脚１８のねじ孔５６のうち任意のねじ孔５６に螺合する。即ちボルト挿通孔５８ａ、５８ｂに挿通したボルト６１が螺合するねじ孔５６を選択することで、脚体１１は便器外郭体５に対して高さ調節自在に取り付けられる。
【００３７】
ここで図３に示すように上記各脚体１１の接地板１９に形成した足入用凹所５５は便器外郭体５の外側面を構成する側板１３よりも内側に至るまで形成してある。また各脚体１１の接地板１９の前部及び後部は便器外郭体５の両側に設けた肘掛け体１２よりも外側方に突出している。このように本発明の可搬便器１にあっては、各脚体１１の接地板１９に形成した足入用凹所５５を便器外郭体５の外側面を構成する側板１３よりも内側に形成してあるので、介助者が便器外郭体５の側方から可搬便器１に近づいた時には、足入用凹所５５内に足を入れて足が接地板１９に接触することを防止できる。またこの場合、介助者は足入用凹所５５の内側に足を置いて可搬便器１に近い位置に立つことができ、これにより安定した介助姿勢を維持できて被介助者を安定して支持できる。また接地板１９の前部及び後部の夫々の外側端は便器外郭体５の外側面よりも外側に位置し、さらには肘掛け体１２よりも外側方に突出しているので、接地板１９の床面との接触面積を充分に確保でき、両側の脚体１１で便器外郭体５を安定して支持できる。なお各肘掛け体１２の外側端は便器外郭体５の外側面と面一に配置しても良いものとする。
【００３８】
また本例では、各脚体１１の脚１８の側面に上下方向に複数のねじ孔５６を並設すると共に、便器外郭体５の外側面を構成する両側の側板１３、１３にボルト挿通孔５８ａ、５８ｂを穿設し、ボルト挿通孔５８ａ、５８ｂに挿通したボルト６１を脚１８に設けた上下複数のねじ孔５６のうち任意のねじ孔５６に螺合することで、脚体１１を便器外郭体５に対して高さ調節自在に取り付けてあり、これにより便器外郭体５の高さを使用者の体格に合わせて変更できる。
【００３９】
また各脚体１１の前側及び後側の脚１８を便器外郭体５の前部に設けたガイド溝６３及び後部に設けたガイド孔６４の夫々に上下方向に移動自在に挿通することで、各脚体１１で前後方向及び左右方向にがたつきなく便器外郭体５を支持でき、またガイド溝６３及びガイド孔６４を各脚体１１の高さ調節をする際のガイドとして利用でき、便器外郭体５の高さ調節を容易に行える。
【図面の簡単な説明】
【００４０】
【図１】本発明の実施の形態の一例の可搬便器を示す全体斜視図である。
【図２】同上の可搬便器を示し、（ａ）は平面図、（ｂ）は側面図、（ｃ）は下面図である。
【図３】図２（ａ）のＡ−Ａ′断面図である。
【図４】図２（ａ）のＢ−Ｂ′断面図である。
【図５】同上の可搬便器の汚水受けを引出位置に配置した状態を示す図２（ａ）のＢ−Ｂ′断面図である。
【図６】同上の汚水受けの斜視図である。
【図７】同上の排泄物容器の斜視図である。
【図８】同上の可搬便器から汚水受けを取り外した状態を示す図２（ａ）のＢ−Ｂ′断面図である。
【図９】同上の可搬便器の便座に座体を載置した状態を示し、（ａ）は正面図であり、（ｂ）は側面図である。
【図１０】同上の脚体の斜視図である。
【図１１】同上の脚体の前側の脚の取付構造を示す斜視図である。
【図１２】同上の脚体の後側の脚の取付構造を示す斜視図である。
【符号の説明】
【００４１】
１  可搬便器
３  汚物受け
５  便器外郭体
１１  脚体
１２  肘掛け体
１８  脚
１９  接地板
５５  足入用凹所
５６  ねじ孔
５８ａ  前側のボルト挿通孔
５８ｂ  後側のボルト挿通孔
６１  ボルト
【図１】
2008206694.tif 000003
【図２】
2008206694.tif 000004
【図３】
2008206694.tif 000005
【図４】
2008206694.tif 000006
【図５】
2008206694.tif 000007
【図６】
2008206694.tif 000008
【図７】
2008206694.tif 000009
【図８】
2008206694.tif 000010
【図９】
2008206694.tif 000011
【図１０】
2008206694.tif 000012
【図１１】
2008206694.tif 000013
【図１２】
2008206694.tif 000014